(57)【要約】【課題】動物の鳴き声を抑制する芳香装置、ペット用ケージ及び建物を提供する。【解決手段】建物１０は、居住者の居住スペース１１の他、ペット飼育用のペットスペース１２を含んで構成されている。ペットスペース１２には、ペット用のケージ２０が設置されている。ケージ本体２１には、ケージ本体２１内の空間（ケージスペース）の音を集音する屋内集音装置４０と、ケージスペースに香りを発生する芳香装置と、これらの装置を制御するコントローラとが設けられている。芳香装置は複数種の香りを選択的に発生可能となっている。コントローラは、屋内集音装置４０によりケージスペースの音を集音させ、集音された音に含まれるペットの鳴き声を検知する。そして、コントローラは、ペットの鳴き声に応じた香り、すなわちペットの鳴き声から推定されるペットの精神状態を落ち着かせる香りを芳香装置により発生させる。【選択図】図１
2009225704.tif 000002
【特許請求の範囲】
【請求項１】
動物の鳴き声を検知する鳴き声検知部と、
複数種の香りを選択的に発生させる香発生部と、
前記鳴き声検知部により鳴き声が検知された場合、その鳴き声に応じた香りを発生させるべく前記香発生部を制御する制御部と、
を備えていることを特徴とする芳香装置。
【請求項２】
複数種の香りが複数種の鳴き声と対応付けて予め記憶されている記憶部を備え、
前記制御部は、前記鳴き声検知部により検知された鳴き声を前記複数種の鳴き声の１つに分類し、前記記憶部に記憶されている対応関係において前記分類結果に対応付けられている香りを前記鳴き声に応じた香りとして選択し、選択された香りを前記香発生部により発生させる請求項１に記載の芳香装置。
【請求項３】
前記制御部は、鳴き声について周波数、繰り返し回数及び大きさの少なくともいずれか１つに基づいて鳴き声を分類する請求項２に記載の芳香装置。
【請求項４】
複数種の音楽を選択的に再生する再生部を備え、
前記制御部は、前記鳴き声検知部により鳴き声が検知された場合、その鳴き声に応じた音楽を再生させるべく前記再生部を制御する請求項１乃至３のいずれか１項に記載の芳香装置。
【請求項５】
ケージ本体内に動物を収容するペット用ケージにおいて、
請求項１乃至４のいずれか１項に記載の芳香装置を備え、
前記鳴き声検知部は前記ケージ本体内で発生した鳴き声を検知し、
前記香発生部は前記ケージ本体内に香りを発生させることを特徴とするペット用ケージ。
【請求項６】
前記ケージ本体の少なくとも一部を遮蔽する防音幕と、
前記防音幕を開閉させる駆動部とを備え、
前記制御部は、前記鳴き声検知部により鳴き声が検知された場合、前記防音幕で前記ケージ本体を遮蔽すべく前記駆動部を制御する請求項５に記載のペット用ケージ。
【請求項７】
請求項５又は６に記載のペット用ケージを屋内に備えていることを特徴とする建物。
【請求項８】
屋外の騒音を検知する騒音検知部を備え、
前記制御部は、前記騒音検知部により検知された騒音に応じた香りを発生させるべく前記香発生部を制御する請求項７に記載の建物。
【請求項９】
前記ケージ本体内の空気を屋外へ排出する排気部を備え、
前記制御部は、前記香発生部により香りを発生させる場合、前記排気部により前記ケージ本体内の空気を排出させる請求項７又は８に記載の建物。
【発明の詳細な説明】
【技術分野】
【０００１】
本発明は、芳香装置、その芳香装置を備えたペット用ケージ、及びそのペット用ケージを備えた建物に関する。
【背景技術】
【０００２】
住宅の室内にペットを飼育する家庭が増加しているが、ペットの鳴き声による騒音が問題となる場合がある。特に近年、住宅の密集や集合住宅の増加などの住宅事情から上記問題が顕著になってきている。そこで、ペット用ケージに防音機能を持たせ、ペットの鳴き声がケージ外へ漏れることを抑制する技術が提案されている（例えば特許文献１参照）。
【特許文献１】特開２００３−３１９７２７号公報
【発明の開示】
【発明が解決しようとする課題】
【０００３】
しかしながら、単に防音機能を付与するだけでは、ペットの鳴き声の音漏れを完全に遮断することは容易でなく、ペットの鳴き声が大きくなるほどケージ外へ漏れる鳴き声も大きくなる。この意味で、ペットの鳴き声を十分に抑制できるとは言い難い。
【０００４】
本発明は、動物の鳴き声を抑制する芳香装置、ペット用ケージ及び建物を提供することを主たる目的とするものである。
【課題を解決するための手段】
【０００５】
本発明は、上記課題を解決するために、以下の手段を採用した。
【０００６】
第１の発明では、動物の鳴き声を検知する鳴き声検知部と、複数種の香りを選択的に発生させる香発生部と、鳴き声検知部により鳴き声が検知された場合、その鳴き声に応じた香りを発生させるべく香発生部を制御する制御部とを備えている。
【０００７】
この第１の発明によれば、動物の鳴き声が検知されると、その鳴き声に応じた香りが発生する。ここで、動物はその精神状態に応じた鳴き声を発する。そのため、動物の鳴き声からその動物の精神状態を推定することが可能である。そして、動物の鳴き声に応じた香り、すなわち動物の鳴き声から推定されるその動物の精神状態を落ち着かせる香りを発生させることにより、動物の鳴き声を抑制することができる。
【０００８】
動物の鳴き声は、その動物の精神状態の観点から複数種に分類することが可能である。そこで、第１の発明において、複数種の香りが複数種の鳴き声と対応付けて予め記憶されている記憶部を備え、鳴き声検知部により検知された動物の鳴き声を前記複数種の鳴き声の１つに分類し、記憶部により記憶されている対応関係において上記分類結果に対応付けられている香りを鳴き声に応じた香りとして選択し、選択された香りを香発生部により発生させるようにするとよい（第２の発明）。
【０００９】
また、第２の発明において、鳴き声について周波数、繰り返し回数及び大きさの少なくともいずれか１つに基づいて、鳴き声を分類することが好ましい（第３の発明）。
【００１０】
第４の発明では、第１の発明乃至第３の発明において、複数種の音楽を選択的に再生する再生部を備え、制御部は、鳴き声検知部により鳴き声が検知された場合、その鳴き声に応じた音楽を再生させるべく再生部を制御する。
【００１１】
この第４の発明によれば、動物の鳴き声が検知されると、その鳴き声に応じた音楽が再生される。この場合、動物の鳴き声から推定されるその動物の精神状態を落ち着かせる音楽を再生させることにより、香りと音楽との相乗効果によって動物の鳴き声を一層抑制することができる。
【００１２】
第５の発明は、ケージ本体内に動物を収容するペット用ケージである。こうしたケージで動物を飼う場合、その動物はケージ本体内で多くの時間を過ごすと考えられる。そこで、第５の発明では、第１の発明乃至第４の発明のいずれかの芳香装置を備え、鳴き声検知部はケージ本体内で発生する鳴き声を検知し、香発生部はケージ本体内に香りを発生させる。
【００１３】
この第５の発明によれば、ケージ本体内で発生した動物の鳴き声が検知されると、ケージ本体内に香りが発生する。これにより、動物が多くの時間を過ごすケージ本体内において動物の鳴き声を効果的に抑制することができる。
【００１４】
第６の発明では、第５の発明において、ケージ本体の少なくとも一部を遮蔽する防音幕と、防音幕を開閉させる駆動部とを備え、制御部は、鳴き声検知部により鳴き声が検知された場合、防音幕でケージ本体を遮蔽すべく駆動部を制御する。
【００１５】
この第６の発明によれば、動物の鳴き声が検知されると、防音幕でケージ本体が遮蔽される。これにより、動物の鳴き声が仮に継続していたとしてもケージ本体外へ漏れることを抑制できる。
【００１６】
第７の発明は、第５の発明又は第６の発明のペット用ケージを屋内に備えている建物である。屋内で動物を飼う場合、その動物の鳴き声による騒音は、近隣住民にとって問題となるだけでなく、その動物を飼っている居住者にとっても問題となる。すなわち、この場合、居住者の生活空間と動物の飼育用の空間とが隣接するため、動物の鳴き声による騒音が居住者の生活にも大きな影響を与える。例えば、動物の鳴き声による騒音により、居住者の睡眠が妨げられるなどの問題が考えられる。この点、第７の発明によれば、第５の発明又は第６の発明のペット用ケージにより動物の鳴き声が抑制されるため、上記動物の鳴き声による問題を解消することができる。
【００１７】
第８の発明では、第７の発明において、屋外の騒音を検知する騒音検知部とを備え、制御部は、騒音検知部により検知された騒音に応じた香りを発生させるべく香発生部を制御する。
【００１８】
屋外の騒音により動物の精神状態が乱れ、結果として動物の鳴き声が増大することが考えられる。この点、第８の発明によれば、屋外の騒音が検知されると、その騒音に応じた香りが発生する。この場合、騒音により乱れた動物の精神状態を落ち着かせることにより、動物の鳴き声を抑制することができる。
【００１９】
第９の発明では、第７の発明又は第８の発明において、ケージ本体内の空気を建物外へ排出する排気部を備え、制御部は、香発生部により香りを発生させる場合、排気部によりケージ本体内の空気を排出させる。
【００２０】
この第９の発明によれば、ケージ本体内に香りを発生させる場合、ケージ本体内の空気が屋外へ排出され、結果としてケージ本体内が負圧となる。これにより、ケージ本体内の香りがケージ本体外へ拡散することを抑制できる。
【発明を実施するための最良の形態】
【００２１】
以下に、一実施の形態について図面を参照しつつ説明する。図１は建物の概略構成を示す説明図である。
【００２２】
図１に示す建物１０は、居住者の生活空間（居住スペース）１１及びペット飼育用の空間（ペットスペース）１２を備えて構成されている。建物１０の基礎１３の上面には、大引き等を含む床下地材１４が水平方向に延びるように架け渡されている。居住スペース１１の床下地材１４の上面には、フローリング等の床仕上材１５が張られている。一方、ペットスペース１２の床下地材１４の上面には、カーペット１６が張られている。
【００２３】
カーペット１６は撥水性を有している。これにより、カーペット１６への汚れの付着が抑制されるとともに、カーペット１６に付着した汚れが除去し易くなっている。カーペット１６は床下地材１４への着脱が自在となっている。これにより、カーペット１６を床下地材１４から外した上でカーペット１６に付着した汚れを除去することや、カーペット１６の交換が可能となっている。
【００２４】
ペットスペース１２の床面上には、ペット用のケージ２０が設置されている。図２はケージ２０の概略構成を示す斜視図である。ケージ本体２１には、ペットが出入りする出入口が形成されており、その出入口を開閉するドア２２が設けられている。ケージ本体２１には、出入口とは別にペットと触れ合うための開口部が形成されている。本実施形態では、ケージ本体２１は、上下に開放された箱形状であり、ドア２２が設けられた側面を除く３つの側面のうち１つの側面が縦格子の柵２３により形成され、残り２つの側面が板材２４，２５により形成されている。この場合、ケージ本体２１の天井側及び柵２３の格子間に、それぞれ開口部２６及び開口部２７が形成される。これにより、建物１０の居住者は、天井側の開口部２６を介してペットと触れ合うことや、柵２３の開口部２７を介してペットと触れ合うことができる。
【００２５】
ここで、建物１０のように居住スペース１１及びペットスペース１２が連続するようにして設定されている場合や、この建物１０に隣接した他の建物が住宅として利用されている場合には、ペットの鳴き声による騒音が問題となる。そこで、本実施形態では、ペットの鳴き声を抑制するシステム（鳴き声抑制システム）が建物１０に備えられている。以下、鳴き声抑制システムの各部について、図１〜図４を参照しつつ説明する。なお、図３はケージ２０の縦断面図である。
【００２６】
図１〜３に示すように、ケージ本体２１には電動式の防音幕装置３０が設けられている。防音幕装置３０は、ケージ本体２１をその幕体３１で遮蔽することにより、ペットの鳴き声が居住スペース１１へ漏れることを抑制する。本実施形態では、防音幕装置３０は、柵２３の天井側に取り付けられたケース３２と、当該ケース３２内に巻かれた状態で収容される幕体３１とを備えて構成されている。幕体３１の最上部には巻取ドラム３３が連結されている。この場合、巻取ドラム３３が図示しない駆動部により正逆いずれかの方向に回転駆動されることにより、幕体３１が巻き取られ（上昇）又は引き出される（降下）。そして、幕体３１が降下した状態ではケージ本体２１の柵２３が幕体３１で遮蔽されるようになっている。これにより、ペットの鳴き声が柵２３の開口部２７を介して居住スペース１１へ漏れることを抑制できる。
【００２７】
なお、本実施形態では、防音幕装置３０に加え、ケージ本体２１の天井側の開口部２６を介して漏れるペットの鳴き声を抑制すべく、ケージ本体２１の上部に折り畳み式の防音幕３５が設けられている。防音幕３５は、ここでは手動により折り畳まれ又は引き延ばされることにより、開口部２６を開閉する。
【００２８】
建物１０には、ケージスペース２８の音を感度よく集音する屋内集音装置４０と、屋外の音を集音する屋外集音装置４１とが備えられている（図１参照）。本実施形態では、屋内集音装置４０は、指向性のマイクであり、感音面をケージスペース２８に向けてケージ本体２１に取り付けられている。屋外集音装置４１は、無指向性のマイクであり、建物１０の外壁の外側に取り付けられている。
【００２９】
ケージ２０には、ケージスペース２８に香りを発生させる芳香装置４２が備えられている。芳香装置４２は複数種の香りを選択的に発生可能となっている。本実施形態では、芳香装置４２はケージ本体２１の板材２４の内側に設けられている。そして、芳香装置４２は、複数種のエッセンシャルオイルをそれぞれ蓄える複数のオイルタンクと、各オイルタンクからエッセンシャルオイルの供給を受ける複数の拡散器とを有し、複数の拡散器のうちいずれか１つでエッセンシャルオイルを空気中に拡散させるようになっている。
【００３０】
芳香装置４２により発生させる香りとしては、ペット（犬）の各種精神状態を落ち着かせるものが設定されている。本実施形態では、ペットの精神状態を「興奮」、「焦燥」、「孤独」、「悲哀」、「恐怖」、「不安」、「警戒」、「怒気」に分類し、各精神状態を落ち着かせる香りを発生させるエッセンシャルオイルとして、レモングラス、ラベンダー、ローズマリー、マジョラム、サンダルウッド、カモミール及びゼラニウムが各オイルタンクに蓄えられている。
【００３１】
レモングラスは、レモンのような香りを発生させて、ペットの興奮を落ち着かせる。ラベンダーは、フローラルな香りを発生させて、ペットの焦燥感を落ち着かせる。ローズマリーは、爽やかな香りを発生させて、ペットの孤独感や不安感を落ち着かせる。マジョラムは、スパイシーで温かみのある香りを発生させて、ペットの悲哀感を落ち着かせる。サンダルウッドは、ウッディーな香りを発生させて、ペットの恐怖感を落ち着かせる。カモミールは、リンゴのような香りを発生させて、ペットの警戒感を落ち着かせる。ゼラニウムは、バラのような香りを発生させて、ペットの怒気を落ち着かせる。
【００３２】
ケージ２０には、ケージスペース２８に音楽を流す音楽再生装置４３が備えられている。本実施形態では、音楽再生装置４３はケージ本体２１の板材２４の内側に設けられている。音楽再生装置４３は、記憶媒体（例えばＣＤ−ＲＯＭ）や不揮発性のメモリに複数種類の音楽を記憶しており、それらの音楽をケージスペース２８に向けたスピーカを介して選択的に再生可能となっている。音楽再生装置４３により再生させる音楽としては、芳香装置４２により発生させる香りと同様に、上記各種精神状態を落ち着かせる音楽が設定されている。
【００３３】
建物１０には、ペットスペース１２の空気を屋外に排出する排気装置４４が備えられている（図２参照）。本実施形態では、排気装置４４は、ペットスペース１２と屋外の空間とを仕切る外壁１７に設けられた換気扇である。この排気装置４４を作動させると、ペットスペース１２が負圧となり、ひいてはケージスペース２８が負圧となる。これにより、芳香装置４２によりケージスペース２８に発生させた香りが居住スペース１１へ拡散することを抑制できる。
【００３４】
なお、排気装置４４に代えて空気清浄器を備え、ペットスペース１２の空気を清浄した上で屋内へ還流させてもよい。これにより、屋内を循環する空気を無臭化できる。
【００３５】
図４は、鳴き声抑制システムの電気的構成を示すブロック図である。以上説明した防音幕装置３０、屋内集音装置４０、屋外集音装置４１、芳香装置４２、音楽再生装置４３及び排気装置４４は、コントローラ４５に接続されている。コントローラ４５は、制御部であるＣＰＵ４６や記憶部であるメモリ４７等を備えた周知のマイクロコンピュータを主体として構成されており、メモリ４７に記憶されているプログラムをＣＰＵ４６で実行することにより、鳴き声抑制システムの各部を制御する。なお、本実施形態では、コントローラ４５はケージ本体２１の板材２４の内側に設けられている（図３参照）。
【００３６】
詳しくは、防音幕装置３０では、コントローラ４５により駆動部の駆動制御が実施されて幕体３１が昇降される。屋内集音装置４０及び屋外集音装置４１では、コントローラ４５の制御により、それぞれケージスペース２８の音及び屋外の音が集音され、集音された音がコントローラ４５へ送信される。芳香装置４２では、コントローラ４５により選択された香りが発生する。音楽再生装置４３では、コントローラ４５により選択された音楽が再生される。排気装置４４では、コントローラ４５の制御によりその作動がオン又はオフされる。
【００３７】
次に、鳴き声抑制システムによる鳴き声抑制処理について、図５〜図７を参照しながら説明する。
【００３８】
図５は鳴き声抑制処理の概要を示す説明図である。この鳴き声抑制処理では、ペットが鳴くと（図５（ａ）参照）、防音幕装置３０の幕体３１が降下し、ケージスペース２８に香りが発生し、ケージスペース２８に音楽が流れる。すなわち、防音幕装置３０の幕体３１が降下することにより、ケージ本体２１の柵２３が幕体３１で遮蔽される（図５（ｂ）参照）。これにより、ペットの鳴き声が居住スペース１１へ漏れることを抑制できる。また、ケージスペース２８の香りと音楽により、ペットの精神状態を落ち着かせることができ（図５（ｃ）参照）、ひいてはペットの鳴き声を抑制することができる（図５（ｄ）参照）。
【００３９】
図６は鳴き声抑制処理の流れを示すフローチャートである。本フローチャートに示す処理は所定時間間隔で繰り返し実行される。まず、コントローラ４５は、ステップＳ１１において、所定期間（例えば３０秒間）だけ、屋内集音装置４０及び屋外集音装置４１によりそれぞれケージスペース２８の音及び屋外の音を集音させ、集音された音をメモリ４７に記憶する。
【００４０】
続くステップＳ１２では、コントローラ４５は、ケージスペース２８の音に基づく音紋解析によってペットの鳴き声を検知する。詳しくは、コントローラ４５には、ペットの鳴き声の音紋が予め登録されている。本実施形態では、鳴き声の高さ（周波数レベル）が異なる２種類の音紋がコントローラ４５のメモリ４７に記憶（登録）されている。具体的にはペットが犬である場合にはその鳴き声が７００Ｈｚ〜１ｋＨｚ程度であることが知られており、本実施形態では、このうち低周波数レベルの鳴き声に基づく声紋と、高周波数レベルの鳴き声に基づく声紋とが、それぞれ登録されている。コントローラ４５は、ステップＳ１１において記憶された音に含まれる音紋（実音紋）と予め登録されている音紋（登録音紋）とを照合する。そして、コントローラ４５は、ケージスペース２８の音に含まれる実音紋がペットの登録音紋のいずれかと一致し、かつ、ペットの鳴き声の大きさが所定レベル（犬の場合は８０ｄＢ程度）以上である場合に、飼育しているペットの鳴き声であると判断する。
【００４１】
ステップＳ１２でペットスペース１２において発生する音を照合した結果、ペットの鳴き声であると判断されると、コントローラ４５は、ステップＳ１４〜Ｓ１６の処理において、ペットの鳴き声に応じた香り及び音楽を選択する処理を実行する（ステップＳ１３参照）。
【００４２】
すなわち、ステップＳ１４では、コントローラ４５は、ステップＳ１２において検知されたペットの鳴き声を、当該鳴き声の属性に基づいて各種精神状態における鳴き声に分類する。本実施形態では、コントローラ４５は、検知されたペットの鳴き声を、当該鳴き声の周波数、繰り返し回数及び大きさに基づいて、「興奮」、「焦燥」、「孤独」、「悲哀」、「恐怖」、「不安」、「警戒」、「怒気」の精神状態における鳴き声に分類する。本実施形態では、周波数は声紋照合による高低の２種に分け、繰り返し回数は継続（連続的又は断続的のいずれも含む）時間に置き換えて一定時間継続しているか否かの閾値により２種に分け、大きさはステップＳ１２で検知した鳴き声の音レベル（ｄＢ）を例えば９０ｄＢ以上か否かにより２種に分け、これらをもとに分類する。
【００４３】
詳しくは、図７に示すように、コントローラ４５は、鳴き声が高く、その繰り返しが多く、鳴き声が大きい場合には、その鳴き声を「パターン１」の興奮時の鳴き声に分類する。鳴き声が高く、その繰り返しが多く、鳴き声が小さい場合には、その鳴き声を「パターン２」の焦燥感による鳴き声に分類する。鳴き声が高く、その繰り返しが少なく、鳴き声が大きい場合には、その鳴き声を「パターン３」の孤独感による鳴き声に分類する。鳴き声が高く、その繰り返しが少なく、鳴き声が小さい場合には、その鳴き声を「パターン４」の悲哀感による鳴き声に分類する。鳴き声の高低が定まらず、その繰り返しが多く、鳴き声が大きい場合には、その鳴き声を「パターン５」の恐怖感による鳴き声に分類する。鳴き声が低く、その繰り返しが多く、鳴き声が小さい場合には、その鳴き声を「パターン６」の不安感による鳴き声に分類する。鳴き声が低く、その繰り返しが少なく、鳴き声が大きい場合には、その鳴き声を「パターン７」の警戒感による鳴き声に分類する。鳴き声が低く、その繰り返しが少なく、鳴き声が小さい場合には、その鳴き声を「パターン８」の怒気時の鳴き声に分類する。
【００４４】
ステップＳ１５では、コントローラ４５は、鳴き声の分類結果に応じた香りを選択する。詳しくは、コントローラ４５のメモリ４７には、鳴き声の種類とその鳴き声から推定されるペットの精神状態を落ち着かせる香りとを対応付けるマップ（鳴き声−香マップ）が予め記憶されている（図７参照）。そして、コントローラ４５は、この鳴き声−香マップを参照しながら、鳴き声の分類結果に対応する香を選択する。
【００４５】
ステップＳ１６では、コントローラ４５は、鳴き声の分類結果に応じた音楽を選択する。詳しくは、コントローラ４５のメモリ４７には、鳴き声−香マップと同様、鳴き声の種類とその鳴き声から推定されるペットの精神状態を落ち着かせる音楽とを対応付けるマップ（鳴き声−音楽マップ）が予め記憶されている。そして、コントローラ４５は、この鳴き声−音楽マップを参照しながら鳴き声の分類結果に対応する音楽を選択する。
【００４６】
その後、コントローラ４５は以上の分類及び選択処理の結果を踏まえ、ステップＳ２１〜Ｓ２４の出力処理に進む。この出力処理については後に説明する。
【００４７】
一方、ステップＳ１２でペットスペース１２において発生する音を照合した結果、ペットの鳴き声でないと判断されると、コントローラ４５は、ステップＳ１７の処理に進む（ステップＳ１３参照）。
【００４８】
ステップＳ１７では、コントローラ４５は、ステップＳ１１において記憶された屋外の音に基づく音紋解析によって屋外の騒音を検知する。詳しくは、コントローラ４５には、屋外の騒音の音紋が予め登録されている。本実施形態では、自動車の走行音の音紋と花火の音の音紋がコントローラ４５のメモリ４７に記憶（登録）されている。コントローラ４５は、ステップＳ１１において記憶された屋外の音に含まれる実音紋が屋外の騒音の登録音紋のいずれかと一致し、かつ、その音の大きさが所定レベル以上である場合に、屋外の騒音を検知する。なお、屋外の騒音の登録音紋は１種類でも３種類以上でもよい。
【００４９】
ステップＳ１７において屋外の騒音が検知された場合には、コントローラ４５は、ステップＳ１９，Ｓ２０の処理において、屋外の騒音に応じた香り及び音楽を選択する（ステップＳ１８参照）。
【００５０】
すなわち、ステップＳ１９では、コントローラ４５は、ステップＳ１７において検知された屋外の騒音の種類に応じた香りを選択する。詳しくは、コントローラ４５のメモリ４７には、鳴き声−香マップと同様、屋外の騒音の種類とその騒音によりペットが陥りやすい精神状態を落ち着かせる香りとを対応付けるマップ（騒音−香マップ）が予め記憶されている。本実施形態では、騒音−香マップにおいて、自動車の走行音とペットの怒気を落ち着かせるゼラニウムによる香りとが対応付けられ、花火の音とペットの恐怖感を落ち着かせるサンダルウッドの香りとが対応付けられている。そして、コントローラ４５は、この騒音−香マップを参照しながら、屋外の騒音の種類に対応する香りを選択する。
【００５１】
ステップＳ２０では、コントローラ４５は、屋外の騒音の種類に応じた音楽を選択する。詳しくは、コントローラ４５のメモリ４７には、鳴き声−香マップと同様、屋外の騒音の種類とその騒音によりペットが陥りやすい精神状態を落ち着かせる音楽とを対応付けるマップ（騒音−音楽マップ）が予め記憶されている。そして、コントローラ４５は、この騒音−音楽マップを参照しながら、屋外の騒音の種類に対応する音楽を選択する。
【００５２】
その後、コントローラ４５はステップＳ２１〜２４の出力処理に進む。
【００５３】
ステップＳ２１〜２４では、コントローラ４５は、防音幕装置３０の幕体３１を降下させ、排気装置４４による排気を開始させ、ステップＳ１５又はステップＳ１９において選択された香りを芳香装置４２により発生させ、さらにステップＳ１６又はステップＳ２０において選択された音楽を音楽再生装置４３により再生させ、今回の鳴き声抑制処理の実行を終了する。この処理の終了後、本フローチャートによる処理を繰り返し実行する。
【００５４】
ここで、防音幕装置３０の幕体３１が降下し、ケージ本体２１の柵２３が防音幕装置３０の幕体３１で遮蔽されると、結果としてペットにストレスが加わるおそれがある。そこで、ステップＳ２１では、幕体３１とペットスペース１２の床面との間に数１０ｃｍ程度の隙間が形成されるように、防音幕装置３０を制御することが望ましい。これにより、ペットのストレスを緩和することができる。
【００５５】
一方、ステップＳ１７において屋外の騒音が検知されなかった場合には、コントローラ４５は、ステップＳ１２及びステップＳ１７の音照合処理の結果、鳴き声及び屋外の騒音の未検知時間が所定時間以上か否かを判定する（ステップＳ２５参照）。ここで、鳴き声の未検知時間とはペットの鳴き声が検知されない状態の継続時間であり、屋外の騒音の未検知時間とは屋外の騒音が検知されない状態の継続時間である。したがって、コントローラ４５は、例えばステップＳ１３及びステップＳ１８においていずれも否定判定された場合にタイマをセットし、これがタイムアップしたか否かを判断すればよい。そして、コントローラ４５は、鳴き声及び屋外の騒音の未検知時間が所定時間以上であると判定した場合には、ステップＳ２６〜ステップＳ２９の処理に進み、鳴き声及び屋外の騒音の未検知時間が所定時間未満であると判定した場合には、ステップＳ２６〜ステップＳ２９の処理を実行することなく、今回の鳴き声抑制処理の実行を終了する。
【００５６】
ステップＳ２６〜ステップＳ２９では、コントローラ４５は、音楽再生装置４３による音楽の再生を停止させ、芳香装置４２よる香りの発生を停止させ、排気装置４４による排気を停止させ、防音幕装置３０の幕体３１を上昇させ、今回の鳴き声抑制処理の実行を終了する。
【００５７】
本実施形態によれば、以上の構成及び作用により、以下に示す有利な効果が得られる。
【００５８】
ペットの鳴き声を検知した場合、その鳴き声に応じた香りをケージスペース２８に発生させた。具体的には、屋内集音装置４０により集音された音からペットの鳴き声を検知し、検知された鳴き声を予め設定された複数種の鳴き声に分類し、その分類結果に応じた香りをケージスペースに発生させた。ここで、ペットの鳴き声に応じた香りとは、その鳴き声を発したときのペットの精神状態を落ち着かせる香りである。この場合、ペットの精神状態を香りにより落ち着かせることができ、ひいてはペットの鳴き声を抑制することができる。
【００５９】
ペットの鳴き声を検知した場合、その鳴き声に応じた音楽をケージスペース２８に流した。ここで、ペットの鳴き声に応じた音楽とは、その鳴き声を発したときのペットの精神状態を落ち着かせる音楽である。この場合、ペットの精神状態を香り及び音楽により落ち着かせることができ、ひいてはペットの鳴き声を一層抑制することができる。
【００６０】
ペットの鳴き声を検知した場合に、防音幕装置３０の幕体３１を降下させ、ケージ本体２１の柵２３を防音幕装置３０の幕体３１で遮蔽した。これにより、ペットの鳴き声が柵２３の間の開口部２７を介して居住スペース１１へ漏れることを抑制でき、ペットの鳴き声をより一層抑制することができる。
【００６１】
また、防音幕装置３０の幕体３１を降下させることにより、ケージスペース２８に発生させた香りの拡散防止の効果も期待できる。
【００６２】
ここで、防音幕装置３０の幕体３１が降下することにより、ペットにストレスが加わることが考えられる。この点、ペットの鳴き声及び屋外の騒音の未検知時間が所定時間以上となった場合に、防音幕装置３０の幕体３１を上昇させた。これにより、ペットのストレスを緩和することができる。
【００６３】
芳香装置４２により香りを発生させるに際し、排気装置４４によりペットスペース１２の空気を排出させた。これにより、ケージスペース２８が負圧となることから、ケージスペース２８に発生させた香りが居住スペース１１へ拡散することを抑制できる。
【００６４】
屋外で騒音が発生すると、その騒音に応じた香りがケージスペース２８に発生するようにした。具体的には、屋外集音装置４１により集音された音から屋外の騒音を検知し、検知された騒音の種類に応じた香りをケージスペース２８に発生させた。ここで、屋外の騒音に応じた香りとは、その騒音によりペットが陥りやすい精神状態を落ち着かせる香りである。これにより、屋外の騒音によるペットの鳴き声を抑制することができる。特に、この場合、ペットが実際に鳴く前に、そのペットの精神状態を落ち着かせることが可能である。これにより、ペットが鳴くこと自体を抑制することができる。
【００６５】
さらに、上述の如くペットの鳴き声を抑制することやペットが鳴くこと自体を抑制することにより、ペットの鳴き癖が解消することも期待できる。
【００６６】
なお、以上説明した実施の形態に限らず、例えば以下に別例として示した形態で実施することもできる。
【００６７】
（１）芳香装置４２により発生させる香りを選択するに際し、ペットの鳴き声の種類に加え、屋外の騒音も考慮してもよい。すなわち、屋内と屋外との音を個別に判断及び処理するのではなく、総合的に判断及び処理するようにしてもよい。この場合、ペットの鳴き声から推定されるペットの精神状態を、屋外の騒音により裏付けることもできる。例えば、「パターン８」の怒気状態の鳴き声が検知されるとともに、車両の走行音が検知された場合には、ペットの精神状態が車両の走行音により怒気状態となった蓋然性が高い。これにより、ペットの精神状態の判断精度を高め、ひいてはペットの鳴き声を一層抑制することができる。また、ステップＳ１２における声紋照合を２種ではなく１又は３種以上の登録声紋に基づいて行ってもよく、さらには、鳴き声の大きさレベルや繰り返し回数のいずれかを判断しなかったり３段階以上の詳細な区分けをして処理を行ったりしてもよい。
【００６８】
（２）ケージ２０より上方に排気装置４４の吸入口を設けるのではなく、ケージスペース２８の空気を屋外へ排出する排気経路の吸入口をケージ本体２１に設け、この排気経路経由でケージスペース２８の空気を屋外へ排出してもよい。このように、ケージスペース２８の空気を直接的に屋外へ排出することにより、ケージスペース２８を効率よく負圧とすることができ、ひいてはケージスペース２８に発生させた香りの居住スペースへの拡散を効率よく防止できる。
【００６９】
例えば、ケージ本体２１に接続されるダクトを設けて、このダクト内に排気経路を形成することができる。この場合、屋内集音装置４０や芳香装置４２や音楽再生装置４３やコントローラ４５への電力供給線もダクトと一緒に配線することが好ましい。さらに、この配線をダクトの外皮内に配線することが一層好ましい。これにより、ケージ２０と接続される電力供給線の配線をすっきりさせることができる。また、ダクトは着脱可能となっていることが好ましい。
【００７０】
（３）上記実施形態では、ケージスペース２８が完全に閉鎖されることによるペットのストレスを考慮して、開口部２６の開閉を手動とし、深夜にペットがどうしても鳴き止まない場合などの非常時にだけ、開口部２６を防音幕３５で閉鎖可能とした。しかしながら、これに限られず、ケージ本体２１の天井側の開口部２６を開閉する電動式の防音幕装置を当該ケージ本体２１に設けて、開口部２６の開閉も鳴き声抑制システムの制御対象としてもよい。
【００７１】
（４）居住スペース１１やペットスペース１２、ケージスペース２８、屋外の温度を検出する温度検知部と、断熱性を有する幕体でケージ２０を遮蔽可能な電動式の断熱幕装置とを、建物１０やケージ２０に備えてもよい。なお、断熱幕装置は防音幕装置３０に兼用させることが好ましい。この場合、検出された温度に基づいて断熱性の幕体を開閉することにより、ケージスペース２８の温度を快適に保つことができる。
【００７２】
（５）ケージスペース２８の温度や湿度や臭いや空気中に含まれる埃の濃度を検出する各検知部をケージ２０に備えてもよい。この場合、検出された温度や湿度や臭いや埃の濃度に応じて排気装置４４を作動させることにより、ケージスペース２８の環境を快適に保つことができる。
【００７３】
（６）ケージスペース２８又はペットスペース１２の気圧を検出する気圧検出手段を備えてもよい。この場合、ケージスペース２８の気圧を目標とする気圧に調整すべく、気圧検出手段により検出された気圧に基づいて排気装置４４を制御することができる。これにより、ケージスペース２８に発生させた香りが居住スペース１１へ拡散することを、効率よく抑制することができる。
【００７４】
（７）建物１０における火災の発生を検知する火災検知手段と、防火性を有する幕体でケージ２０を遮蔽可能な電動式の防火幕装置とを、建物１０に備えてもよい。なお、防火幕装置は防音幕装置３０に兼用させることが好ましい。そして、火災検知手段により建物１０における火災の発生が検知された場合、防火幕装置の幕体でケージ本体２１を遮蔽するようにしてもよい。これにより、ケージスペース２８への炎の侵入を遅らせることができ、建物１０の火災からペットを守ることができる。
【００７５】
例えば、火災検知手段としては、建物１０内の温度や煙に基づいて火災を検知するものが考えられる。また、防火幕装置としては、防音幕装置３０と同様に、ケースと当該ケース内に巻かれた状態で収容される幕体とを備えて、ケース内から幕体が引き出された状態でケージ２０を遮蔽するものが考えられる。
【００７６】
この場合、居住者の在宅又は不在を検知する在宅検知手段を建物１０に備えて、火災検知手段により火災の発生が検知されたとしても、在宅検知手段により在宅が検知された場合には、防火幕装置によりケージ２０を遮蔽させないことが望ましい。これにより、居住者がケージ２０からペットを救出するに際し、防火幕装置の幕体が邪魔にならない。
【００７７】
また、屋外の空気をケージスペース２８へ供給可能な吸気装置を建物１０に備えて、火災検知手段により火災の発生が検知された場合、吸気装置（排気装置４４と兼用させることが好ましい。）により屋外の空気をケージスペース２８へ供給することが望ましい。これにより、火災発生時にはケージスペース２８が正圧となり、ケージスペース２８への炎の侵入を一層遅らせることができる。
【００７８】
（８）建物１０における火災の発生を検知する火災検知手段を建物１０に備え、ケージ本体２１のドア２２を施解錠する電動式の施解錠装置をケージ２０に備えてもよい。そして、火災検知手段により火災の発生が検知された場合、施解錠装置によりドア２２を解錠させるようにしてもよい。この場合、火災の発生が検知されると、ドア２２が自動的に解錠される。これにより、建物１０の火災からペットを守ることができる。すなわち、火災発生時に居住者が在宅である場合には、居住者がケージ２０からペットを救出するに際し、ドア２２を解錠する必要なく、ペットを速やかに救出することができる。一方、火災発生時に居住者が不在である場合には、ペットが自力で解錠されたドア２２から逃げ出すことが期待できる。
【図面の簡単な説明】
【００７９】
【図１】本実施形態の建物の概略構成を示す説明図。
【図２】ペット用のケージを示す斜視図。
【図３】同ケージの縦断面図。
【図４】鳴き声抑制システムの電気的構成を示すブロック図。
【図５】鳴き声抑制処理の概略を示す説明図。
【図６】鳴き声抑制処理の流れを示すフローチャート。
【図７】鳴き声−香マップを示す図。
【符号の説明】
【００８０】
１０…建物、１１…居住スペース、１２…ペットスペース、２０…ケージ、２１…ケージ本体、２８…ケージスペース、３０…防音幕装置、３１…幕体（防音幕）、４０…屋内集音装置（鳴き声検知部）、４１…屋外集音装置（騒音検知部）、４２…芳香装置（香発生部）、４３…音楽再生装置（再生部）、４４…排気装置（排気部）、４５…コントローラ、４６…ＣＰＵ（鳴き声検知部、制御部）、４７…メモリ（記憶部）。
【図１】
2009225704.tif 000003
【図２】
2009225704.tif 000004
【図３】
2009225704.tif 000005
【図４】
2009225704.tif 000006
【図５】
2009225704.tif 000007
【図６】
2009225704.tif 000008
【図７】
2009225704.tif 000009